(57)【要約】      （修正有）【課題】全自動多段折り畳み傘の制御機構を提供する。【解決手段】制御傘開閉変換機構は、螺旋棒６や螺旋棒上にあるナット７と押し棒８があり、押し棒によってナットと中管Ｂ２頂端が連接され、螺旋棒下端が、てもとＧ中の動力源により正逆方向に駆動されて、ナットが、上下に移動でき、動力源が、てもと上のボタンＧ１によって制御される。三段や二段の引き紐から構成された傘開閉変換機構は、中棒セットの各管部材と上ろくろ及び下ろくろとの連接関係により、傘の開閉機能が実現される。【選択図】図１
2016034397.tif 000002
【特許請求の範囲】
【請求項１】
てもとと中棒セットに設けられ、
上記中棒セットは、上から下へ、順に、少なくとも、外管と中管及び内管の三つの円筒があり、
傘を開閉制御する変換機構は、上記制御機構が、螺旋棒と、螺旋棒にセットされたナットと押し棒を有し、押し棒で、ナットと中棒セットの中管頂端とを連接し、螺旋棒は、下端が、てもと中の動力源に連接され、動力源によって、正逆方向に、回転するように駆動されて、ナットが、螺旋棒に沿って上下に変位し、
動力源が、てもとにあるボタンによって制御され、
上記傘は、更に、親骨フレームと上ろくろ、下ろくろ及び傘開閉変換機構があり、
上記親骨フレームの各子親骨が、それぞれ、対応した上ろくろや下ろくろに、結合され、
上記中棒セットは、外管の上端の内部に、外管栓が固定され、下端に、外管固定リングが嵌設され、上記外管栓に、中心貫通穴が形成され、上記外管固定リングの上部が、外管の中に嵌設され、
中管の頂端に、中管栓が固定され、下端に、中管固定リングが嵌設され、上記中管栓の下部が、中管の中に嵌設され、上記中管固定リングの上部が、中管の中に嵌設され、
内管の頂部に、内管栓が固定され、内管の下端が、てもと上に固定され、
上記上ろくろは、外管の頂端に固定され、外管上に嵌設された下部において、傘開閉変換機構が変位し、
上記下ろくろが、可動的に、外管上に嵌設され、
上記押し棒は、下端に、ナットがセットされ、上端が、内管栓を跨って中管栓に連接され、上記の押し棒は、二本の対称して設置された硬質棒で、ナットが、その押し棒を通過して、中管栓が連動されて上下に変位し、
上記螺旋棒の上端が、内管栓に結合される、
ことを特徴とする全自動多段折り畳み傘の制御機構。
【請求項２】
上記傘開閉変換機構は、下ろくろ引き紐と変換引き紐及び内管引き紐があり、下ろくろ引き紐は、一端が、中管栓上に固定され、もう一端が、外管を通して、外管滑車を回って下ろくろに固定され、変換引き紐は、一端が、内管上端に固定され、もう一端が、中管底部から通し、中管固定リングの中管固定リング滑車を回って、中管に貫通し、また、中管の上端から伸び出して、外管に通し、更に、外管上端から伸び出して、外管頂部に固定され、内管引き紐は、一端が、内管上端に固定され、もう一端が、中管に通し、中管栓の滑車を回って、中管と外管との間に通して、外管下端に固定されることを特徴とする請求項１に記載の全自動多段折り畳み傘の制御機構。
【請求項３】
上記傘開閉変換機構は、下ろくろ引き紐と中管引き紐があり、上記下ろくろ引き紐は、一端が、中管栓上に連接され、もう一端が、外管滑車を跨って外管から伸び出して下ろくろに固定され、上記中管引き紐は、一端が、内管栓上に連接され、もう一端が、中管栓の可動滑車に回って外管の下端に固定されることを特徴とする請求項１に記載の全自動多段折り畳み傘の制御機構。
【請求項４】
上記外管栓は、上部に、外管滑車が設置され、上記外管滑車に対応した外管に、欠け口が形成されて、上記下ろくろ引き紐が貫設され、上記中管栓の中部に、中管滑車が設置され、上記中管固定リングの下端に、凸縁が形成されて、中管の外へ突出し、また、上記凸縁の一側に、中管固定リング滑車が設けられ、また、中管において、中管固定リング滑車に対応した位置に、欠け口が形成されて、変換引き紐が通され、上記上ろくろは、外管の欠け口に対応して、被り槽が形成され、内管引き紐は、一端が、内管上端に固定され、ここでも、同じように、内管栓上に固定され、もう一端が、中管を通し、中管栓の中管滑車を回って、中管から伸び出し、更に、中管と外管との間に通して、外管下端に固定され、ここでは、外管固定リングの凸縁に固定されることを特徴とする請求項２に記載の全自動多段折り畳み傘の制御機構。
【請求項５】
上記外管栓は、上部に、外管滑車が設置され、上記外管滑車に対応した外管に、欠け口が形成されて、上記下ろくろ引き紐が伸び出し、上記中管栓は、中部に、中管滑車が設置され、上記中管固定リングは、下端に、中管の外へ突出した凸縁が形成され、また、上記凸縁は、一側に、中管固定リング滑車が設置され、中管において、中管固定リング滑車に対応した位置に、欠け口が形成されて、変換引き紐が伸び出し、上記上ろくろにおいて、外管の欠け口に対応した被り槽が形成され、上記中管引き紐は、一端が、内管栓上に連接され、もう一端が、中管栓の中管滑車を跨って外管の下端に固定されることを特徴とする請求項３に記載の全自動多段折り畳み傘の制御機構。
【請求項６】
上記上ろくろは、下端に、更に、附勢ばねが連接され、上記附勢ばねは、傘が開かれた状態で、附勢ばねが、下ろくろによって押さえられて圧縮蓄エネルギー状態になることを特徴とする請求項１に記載の全自動多段折り畳み傘の制御機構。
【請求項７】
上記内管栓上に、押し棒が跨るための案内槽が形成されることを特徴とする請求項１に記載の全自動多段折り畳み傘の制御機構。
【請求項８】
上記螺旋棒は、下端において、動力源の上方に軟質パッドが設けられることを特徴とする請求項１に記載の全自動多段折り畳み傘の制御機構。
【請求項９】
上記中管栓は、プラスチック材質からなり、その上に、押し棒に対応する引っ掛け穴が形成され、引っ掛け穴に、金属リングが設置され、また、中管栓固定引き紐の固定穴において、その一端面に、案内円弧辺を有する金属円筒があり、上記内管栓は、プラスチック材質からなり、その上に、引き紐が貫設されるための固定穴があって、その一端面に、案内円弧辺を有する金属管があることを特徴とする請求項１に記載の全自動多段折り畳み傘の制御機構。
【請求項１０】
上記内管栓の側壁に、直接に、内管の上端に合わせて、凹槽が形成されて、内管に対して、凹点をパンチすることにより、退避空間が形成されることを特徴とする請求項１に記載の全自動多段折り畳み傘の制御機構。
【発明の詳細な説明】
【技術分野】
【０００１】
本発明は、傘に関し、特に、自動的に完全に開くことと完全にすぼめるができる多段折り畳み傘機構に関する。
【背景技術】
【０００２】
近年、気候の変化が激しくて、人々も、傘を手元にする慣習を身に着けて、突然に降れてきた雨によって濡れることを防止する。しかし、従来の傘は、手で、親骨フレームを上へ所定の位置に押すことにより、傘が開かれ、急に降れて来た大雨により、傘を開くことが間に合わなく、体がぬれてしまうことが多発する。そのため、手元に、ボタンを設置して、上記ボタンだけを押すと、自動的に開く傘が登場したが、自動的にすぼめることができないため、乗車する時、両手で、傘をすぼめてから乗車でき、この短い間でも、体も、容易に雨によってぬれてしまわれ、傘の使用便利性が、十分ではない。
【０００３】
また、既存の自動開閉の傘は、実質上、自動的に傘を開いて半自動的にすぼめる機能だけを有するため、傘を完全に、開傘の初期状態まですぼめることができなく、二次に力を印加してから、傘を完全にすぼめる状態になる。そのため、如何に、手元を制御することだけで、傘を全自動的に完全に開くこととすぼめることができることは、本発明の解決しよう課題である。
【０００４】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００５】
本発明の目的は、多段傘を、完全に開くことと完全にすぼめることができる全自動傘の制御機構を提供する。
【課題を解決するための手段】
【０００６】
上記目的を達成できる本発明は、全自動多段折り畳み傘の制御機構であり、てもとと中棒セットに設けられ、上記中棒セットは、上から下へ、順に、少なくとも、外管と中管及び内管の三つの円筒があり、傘を開閉制御する変換機構は、上記制御機構が、螺旋棒と、螺旋棒にセットされたナットと押し棒を有し、押し棒で、ナットと中棒セットの中管頂端とを連接し、螺旋棒は、下端が、てもと中の動力源に連接され、動力源によって、正逆方向に、回転するように駆動されて、ナットが、螺旋棒に沿って上下に変位し、動力源が、てもとにあるボタンによって制御され、上記傘は、更に、親骨フレームと上ろくろ、下ろくろ及び傘開閉変換機構があり、上記親骨フレームの各子親骨が、それぞれ、対応した上ろくろや下ろくろに、結合され、上記中棒セットは、外管の上端の内部に、外管栓が固定され、下端に、外管固定リングが嵌設され、上記外管栓に、中心貫通穴が形成され、上記外管固定リングの上部が、外管の中に嵌設され、中管の頂端に、中管栓が固定され、下端に、中管固定リングが嵌設され、上記中管栓の下部が、中管の中に嵌設され、上記中管固定リングの上部が、中管の中に嵌設され、内管の頂部に、内管栓が固定され、内管の下端が、てもと上に固定され、上記上ろくろは、外管の頂端に固定され、外管上に嵌設された下部において、傘開閉変換機構が変位し、上記下ろくろが、可動的に、外管上に嵌設され、上記押し棒は、下端に、ナットがセットされ、上端が、内管栓を跨って中管栓に連接され、上記の押し棒は、二本の対称して設置された硬質棒で、ナットが、その押し棒を通過して、中管栓が連動されて上下に変位し、上記螺旋棒の上端が、内管栓に結合される。
【０００７】
上記によれば、本発明の制御機構は、傘の開閉変換機構を制御して、自動的に傘を開閉することが実現され、
傘を開く時、てもとにあるボタンを押すと、動力源が、駆動されて動力を出力し、螺旋棒により、ナットが、上へ移動しながら、押し棒を押して、中管が、内管に対して、上へ展開するように連動され、中管栓と内管上端との間の距離が、長くなり、また、内管引き紐により、上記の距離変化に応じて、外管固定リングが、中管に対して上へ移動するように、連動され、更に、同時に、外管が、中管に対して、展開されるように、押され、この時、外管栓と中管栓との間の距離が、長くなり、上記の距離変化に応じて、下ろくろ引き紐により、下ろくろが、外管に対して、上へ移動され、下ろくろが上へ変位することにより、親骨フレームが開かれ、上記のシリアスの同期作動により、完全に傘を開く機能が実現される。すぼめる時、再び、てもとのボタンを押して、動力源を駆動すると、螺旋棒により、ナットが、下へ移動しながら、押し棒を駆動し、中管が、内管に対して下へ移動するように嵌合され、同時に、中管栓上に連接された下ろくろ引き紐により、下ろくろが、外管に対して上へ移動するように連動され、親骨フレームが、すぼめばねと傘布により、すぼめられる。
【０００８】
或いは、傘を開く時、てもとにあるボタンを押すと、動力源が、駆動されて動力を出力し、動力源により、螺旋棒が回転され、ナットが、螺旋棒に沿って上へ移動しながら、同時に、螺旋棒により、押し棒で、中管と一緒に中管栓が、上へ移動するように、押さえられ、中管が、内管に対して上へ展開するように押さえられ、中管引き紐のもう一端により、上記の距離変化に応じて、外管が、中管に対して上へ移動するように引かれ、即ち、同時に、外管が、中管に対して展開するように推され、この時、外管栓と中管栓との間の距離が長くなり、下ろくろ引き紐により、下ろくろが、上記の距離変化に応じて、外管に対して上へ移動するように引かれ、下ろくろの上移により、親骨フレームが展開され、完全に開傘機能が実現され、すぼめる時、再び、てもとのボタンを押して、動力源を駆動すると、逆回転力が出力され、動力源により、螺旋棒が、逆方向に回転するように、連動され、ナットが、螺旋棒に沿って下へ移動しながら、同時に、螺旋棒が、押し棒で、中管とともに、中管栓を下へ移動させ、中管が、内管に対して下へ移動して嵌合するように、推され、中管引き紐により、外管が、中管に対して下へ移動して嵌合し、親骨フレームが、すぼめばねと傘布により、すぼめられて、傘が完全にすぼめられる。
【０００９】
本発明によれば、傘の中棒セットに、三段や二段の引き紐により構成された傘開閉変換機構を設置することにより、そして、上記の三段や二段の引き紐が、それぞれ、中棒セットにある各段の管部材や上ろくろ及び下ろくろの連接関係、更に、てもとの動力源により、傘開閉作業システムの螺旋棒が回転するように、駆動され、螺旋棒上のナットが、上下に移動する時、押し棒を推して、中管が、内管に対して上下に移動するように推される同時、中棒セットの各管部材と傘面との開閉機能が実現される。多段折り畳み傘具は、完全に、全自動開閉の機能が実現され、使用上、快速的になり、また、より良い便利性が得られる。
【００１０】
以下、図面を参照しながら、本発明の特徴や技術内容について、詳しく説明するが、それらの図面等は、参考や説明のためであり、本発明は、それによって制限されることが無い。
【発明を実施するための最良の形態】
【００１１】
図１乃至図１３を参照しながら、本発明は、てもとＧと中棒セットＢに設けられた全自動多段折り畳み傘の制御機構を提供し、上記中棒セットＢは、上から下へ、順に、少なくとも、外管Ｂ１と中管Ｂ２及び内管Ｂ３の三段円筒があり、
傘を開閉制御する変換機構は、上記制御機構Ｆが、螺旋棒６と、螺旋棒６にセットされたナット７と押し棒８を有し、押し棒８で、連接ナット７と中棒セットＢの中管Ｂ２頂端とを連接し、螺旋棒６は、下端が、てもとＧ中の動力源９に連接され、動力源９によって、正逆方向に、回転するように駆動されて、令ナット７が、螺旋棒６に沿って上下に移動する。動力源９が、てもとＧにあるボタンＧ１によって制御される。
【００１２】
本発明に係る傘によれば、上記傘は、更に、親骨フレームＡ０と親骨フレームに固定された傘布（図に未表示）、上ろくろＣ、下ろくろＤ及び傘開閉変換機構Ｅがある。
【００１３】
上記親骨フレームＡ０の各子親骨Ａ１は、それぞれ、対応した上ろくろＣや下ろくろＤに結合され、同時に、各子親骨Ａ１に、それぞれ、すぼめばねＡ２が設けられる。
【００１４】
また、上記中棒セットＢは、外管Ｂ１の上端内部に、外管栓１が固定され、下端に、外管固定リング２が嵌設され、上記外管栓１に、中心貫通穴１１が形成され、同時に、外管栓１の上部に、外管滑車１２が設置され、上記外管滑車１２に対応した外管Ｂ１に、下記の下ろくろ引き紐Ｅ１を通させるための欠け口Ｂ１１が形成され、上記外管固定リング２は、リング状体であり、その上部が、外管Ｂ１の中に嵌設され、下端に、外管Ｂ１から突出した凸縁２１が形成され、
中管Ｂ２は、頂端に、中管栓３が固定され、下端に、中管固定リング４が嵌設され、上記中管栓３は、下部が、中管Ｂ２の中に嵌設され、中部に、中管滑車３１が設置され、上記中管滑車３１は、一つや多数に設置されてもよく、ここでは、一つだけを設置し、上記中管固定リング４も、リング状体であり、その上部が、中管Ｂ２の中に嵌設され、下端に、中管から突出する凸縁４１が形成され、また、上記凸縁４１は、一側に、中管固定リング滑車４２が設置され、中管Ｂ２には、中管固定リング滑車４２に対応した位置に、下記変換引き紐Ｅ２を通すための欠け口が形成され、
内管Ｂ３は、頂部に、内管栓５が固定され、下端が、てもとＧに固定される。
【００１５】
上記上ろくろＣは、外管Ｂ１の頂端に固定され、その下部が、外管Ｂ１上に嵌設され、また、外管Ｂ１の欠け口Ｂ１１に対応した、下記の下ろくろ引き紐Ｅ１を通すための被り槽Ｃ１が形成され、また、上記上ろくろＣの下端に、更に、附勢ばねＩが連接され、上記附勢ばねＩは、傘が開かれた状態で、下ろくろＤによって押さえられて、圧縮されて蓄エネルギー状態になる。
【００１６】
上記下ろくろＤは、可動的に、外管Ｂ１上に嵌設される。
【００１７】
上記てもとＧは、動力源９を収納するケーシングであり、てもとＧケーシングに、動力源９を、正回転力や逆回転力を出力するように駆動するためのボタンＧ１が設けられる。
【００１８】
図２乃至図５のように、本発明に係る実施例１によれば、傘開閉変換機構Ｅは、下ろくろ引き紐Ｅ１と変換引き紐Ｅ２及び内管引き紐Ｅ３が含まれ、
また、下ろくろ引き紐Ｅ１は、一端が、中管栓３頂部に固定され、もう一端が、外管Ｂ１を通して、外管栓１の外管滑車１２を回って下ろくろＤに固定され、
変換引き紐Ｅ２は、一端が、内管Ｂ１上端に固定され、ここでは、内管栓５上に固定され、もう一端が、中管Ｂ２底部の欠け口Ｂ２１を通し、中管固定リング４の中管固定リング滑車４２を回って、中管Ｂ２に通し、中管Ｂ２の上端から伸び出して、外管Ｂ１に通し、更に、外管Ｂ１上端から伸び出して、外管栓１上に固定され、
内管引き紐Ｅ３は、一端が内管Ｂ３上端に固定され、ここでは、同じように、内管栓５上に固定され、もう一端が、中管Ｂ２に通し、中管栓３の中管滑車３１を回った後、中管Ｂ２に通し、更に、中管Ｂ２と外管Ｂ１との間に通して、外管Ｂ１下端に固定され、ここでは、外管固定リング２の凸縁２１上に固定される。
【００１９】
変換引き紐Ｅ２の一端と内管引き紐Ｅ３の一端とも、内管Ｂ３上端に固定されたため、変換引き紐Ｅ２と内管引き紐Ｅ３とは、同一の連接紐を利用できる。
【００２０】
上記押し棒８の下端に、ナット７がセットされ、上端が、内管栓５を跨って中管栓３上に連接され、ここの押し棒８は、二本の対称した硬質棒であり、例えば、鋼線で、ナット７は、当該押し棒８を通して、中管栓３が、上下に移動させる。
【００２１】
上記螺旋棒６は、上端が、内管栓５に設置され、内管栓５上には、押し棒８が跨るための案内槽５１が形成され、この実施例によれば、内管栓５は、両側に、押し棒８を収納する案内槽５１が形成される。
【００２２】
図３、３ａ、３ｂのように、開傘操作の時、てもとＧのボタンＧ１を押して動力源９を駆動すると、正回転力が出力され、螺旋棒６が回転するように連動され、ナット７が、螺旋棒６に沿って上へ移動し、上移する同時に、螺旋棒６が、押し棒８で、中管Ｂ２とともに、中管栓３が、押されて、上へ移動し、中管Ｂ２が、内管Ｂ３に対して、上へ展開するように押さえられ、中管Ｂ２が、上へ移動すると同時に、中管栓３と内管Ｂ３上端との間の距離が長くなり、内管引き紐Ｅ３が、上記の距離変化に応じて、外管固定リング２が、中管Ｂ２に対して上へ移動するように、引かれ、即ち、同時に、外管Ｂ１が、中管Ｂ２に対して展開するように推され、この時、外管栓１と中管栓３との間の距離が長くなり、下ろくろ引き紐Ｅ１が、上記の距離変化に応じて、下ろくろＤを、外管Ｂ１に対して上へ移動するように引き、下ろくろＤが上へ移動して、親骨フレームＡ０を開かせ、このシリアルの同期作動により、完全開傘機能が実現される。内管栓５にある定位装置の作用により、展開した中管が、内管に対して下へすべることない。また、説明しなければならないことは、この開傘作動において、内管引き紐Ｅ３と下ろくろ引き紐Ｅ１は、主として、開傘の作動を起動させるものであり、変換引き紐Ｅ２は、中管固定リング４と内管Ｂ３上端の距離の短縮に、そして、外管栓１と内管Ｂ３上端との距離が長くなる時の変化に対応するものである。
【００２３】
図４、４ａ、４ｂのように、傘をすぼめる時、再び、てもとＧのボタンＧ１を押し、動力源９を駆動して、逆回転力を出力し、動力源９により、動螺旋棒６が逆方向回転に連動され、ナット７が、螺旋棒６に沿って下へ移動し、下移する同時に、螺旋棒６が、押し棒８で中管栓３が連動され、ナット７により、螺旋棒８が内管Ｂ３に対して下へ移動するように連動され、中管Ｂ２が内管Ｂ３に対して下へ移動して嵌合され、同時に、下ろくろＤが、附勢ばねＩによって、外管Ｂ１に沿って、下移する運動傾向が表し、中管Ｂ２が下移すると同時に、中管固定リング４と内管Ｂ３上端との距離が長くなると、変換引き紐Ｅ２が、外管栓１を引いて、外管Ｂ１が中管Ｂ２に対して、下へ移動して嵌合し、中管栓３上に連接された下ろくろ引き紐Ｅ１が、下ろくろＤに対する引きが解消され、下ろくろＤが、外管Ｂ１に沿って下へ移動し、親骨フレームＡ０が、すぼめばねＡ１と傘面により、すばめられ、これと同時に、シリアルの同期作動により、傘が完全にすぼめられる。また、このすぼめる作動において、変換引き紐Ｅ２と下ろくろ引き紐Ｅ１は、主として、すぼめる作動を起動させるものであり、内管引き紐Ｅ３は、外管固定リング２と中管栓３の距離が長くなることと、中管栓３と内管Ｂ３上端との間の距離短縮に対応するものである。
【００２４】
図６乃至図１３のように、本発明に係る実施例２によれば、傘開閉変換機構Ｈは、下ろくろ引き紐Ｈ１と中管引き紐Ｈ２が含まれ、上記下ろくろ引き紐Ｈ１は、一端が、中管栓３上に連接され、もう一端が、外管栓１に通し、外管滑車１２を跨った後、外管Ｂ１から伸び出して下ろくろＤに固定され、上記中管引き紐Ｈ２は、一端が、内管栓５上に連接され、もう一端が、中管栓３の中管滑車３１を跨った後、外管Ｂ１の下端に固定される。
【００２５】
図３と図６乃至図９のように、開傘する時、てもとＧのボタンＧ１を押して動力源９を駆動し、正回転力が出力され、動力源９により、螺旋棒６が回転するように連動され、ナット７が、螺旋棒６に沿って上へ移動し、上移すると同時に、螺旋棒６が、押し棒８で、中管Ｂ２とともに中管栓３を上へ移動するように押し、中管Ｂ２が、内管Ｂ３に対して上へ展開し、中管Ｂ２が、上へ移動すると同時に、中管栓３と内管栓５との間の距離が長くなり、中管引き紐Ｈ２のもう一端により、上記の距離変化に応じて、外管Ｂ１が、中管Ｂ２に対して、上へ移動するように、引かれ、即ち、同時に、外管Ｂ１が、中管Ｂ２に対して押されて展開し、この時の外管栓１と中管栓３との間の距離が長くなり、下ろくろ引き紐Ｈ１により、上記の距離変化に応じて、下ろくろＤが、外管Ｂ１に対して上へ移動するように引かれ、下ろくろＤが上移して親骨フレームＡ０を開くように押し、このシリアルの同期作動によれば、完全開傘機能が実現される。
【００２６】
図４と図１０乃至１３のように、すぼめる作動の時、再び、てもとＧのボタンＧ１を押せば、動力源９が、駆動されて逆回転力を出力し、動力源９により、螺旋棒６が逆方向回転を行い、ナット７が、螺旋棒６に沿って下へ移動し、下移する同時に、螺旋棒６は、押し棒８で、中管Ｂ２とともに、中管栓３が下へ移動するように押さえられ、中管Ｂ２が、内管Ｂ３に対して下へ移動して嵌合するように連動され、中管Ｂ２が下へ移動する同時に、中管栓３と内管栓５との間の距離が短縮され、上記の距離変化に応じて、中管引き紐Ｈ２のもう一端により、外管Ｂ１が中管Ｂ２に対して下へ移動するように引かれ、外管Ｂ１が、中管Ｂ２に対して下へ移動して嵌合し、同時に、下ろくろＤが、附勢ばねＩの回復力により、外管Ｂ１に沿って下移する運動傾向が表し、親骨フレームＡ０が、すぼめばねＡ１と傘布によりすばめられ、外管栓１と中管栓３との間の距離が短縮され、上記の距離変化に応じて、下ろくろ引き紐Ｈ１が、下ろくろＤによって引かれ、このシリアルの同期作動によれば、傘が完全にすぼめられる。
【００２７】
図１−１、１−２のように、上記両実施例によれば、中管栓３が、金属材質やプラスチック材質からなり、その上に、押し棒８に合わせた引っ掛け穴３２が形成され、プラスチック材質であれば、引っ掛け穴３２に、金属リング３３がセットされ、その目的は、押し棒８と引っ掛け穴３２との耐用寿命を向上するためであり、押し棒８の湾曲箇所と金属リング３３とを接触させ、これにより、押し棒８と引っ掛け穴３２との直接接触磨耗により、隙間が大きくなり、また、隙間が大きくなることによる押し棒８のトルクが大きくなって、断裂しやすいことを防止する。また、中管栓３に引き紐が固定される固定穴３４に、更に、一端面に案内円弧辺３５１を有する金属円筒３５を設置し、これにより、引き紐が固定穴３４の縁によって切られることを防止し、引き紐の耐用寿命が向上される。
【００２８】
図１−３、１−４のように、上記内管栓５も、金属材質やプラスチック材質からなり、その上に、引き紐が貫設されるための固定穴５２が形成され、プラスチック材質であれば、その固定穴５２にも、一端面に案内円弧辺５３１を有する金属管５３がセットされ、同じように、引き紐が、固定穴５２の縁によって切られることを防止でき、引き紐の耐用寿命が向上される。また、内管栓５の側壁に、内管Ｂ３の上端に合わせて、直接に凹槽５４が成型される場合、内管Ｂ３に対して凹点Ｂ３１をパンチすることにより退避空間が形成される。
【００２９】
また、図１−５のように、螺旋棒６の下端において、動力源９の上方に、軟質パッド６１が設けられ、例えば、ゴムパッキンやゴムパッドが設置されて、ナット７が、螺旋棒６の下端に移動した時、動力源９の出力軸に対する衝撃を吸収しても良く、これにより、動力源が保護され、緩衝制動の機能を発揮できる。
【００３０】
以上のように、本発明は、傘の中棒セットＢに、三段や二段の引き紐から構成された傘開閉変換機構Ｅ、Ｆを設置することにより、三段や二段の引き紐が、それぞれ、中棒セットＢの各管部材と上ろくろＣ及び下ろくろＤの連接関係を利用して、てもとＧの動力源９を駆動する傘開閉作業システムＦの螺旋棒６回転で、螺旋棒６上のナット７が上下に移動する時、押し棒８を押して、中管Ｂ２が、内管Ｂ３に対して上下に移動するように押さえられる同時、中棒セットＢの各管部材と傘面により、開くやすぼめるの機能が実現される。多段折り畳み傘は、完全に全自動的に開閉できる機能を実現でき、傘の使用が、より便利的に且つ快速的になる。
【００３１】
そのため、本発明は、より進歩的かつより実用的で、法に従って特許請求を出願する。
【００３２】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００３３】
【図１】本発明の分解図
【図１−１】本発明の中管栓の分解図
【図１−２】本発明の中管栓と押し棒の組立て図
【図１−３】本発明の内管栓の分解図
【図１−４】本発明の内管栓の組立て図
【図１−５】本発明の螺旋棒のてもの組立て構成図
【図２】本発明に係る実施例１の局部分解図
【図３】本発明に係る実施例１の開傘状態図
【図３ａ】図３のａ−ａ線断面図
【図３ｂ】図３のｂ−ｂ線断面図
【図４】本発明に係る実施例１のすぼめる状態図
【図４ａ】図４のｃ−ｃ線断面図
【図４ｂ】図４のｄ−ｄ線断面図
【図５】本発明に係る実施例１のすぼめる状態の局部構成図
【図６】本発明に係る実施例２の開傘状態の局部構成図１
【図７】本発明に係る実施例２の開傘状態の局部構成図２
【図８】本発明に係る実施例２の開傘状態の局部構成図３
【図９】本発明に係る実施例２の開傘状態の局部構成図４
【図１０】本発明に係る実施例２のすぼめる状態の局部構成図１
【図１１】本発明に係る実施例２のすぼめる状態の局部構成図２
【図１２】本発明に係る実施例２のすぼめる状態の局部構成図３
【図１３】本発明に係る実施例２のすぼめる状態の局部構成図４
【符号の説明】
【００３４】
Ａ０  親骨フレーム
Ａ１  子親骨
Ａ２  すぼめばね
Ｂ  中棒セット
Ｂ１  外管
Ｂ１１  欠け口
Ｂ２  中管
Ｂ２１  欠け口
Ｂ３  内管
Ｃ  上ろくろ
Ｄ  下ろくろ
Ｅ  傘開閉変換機構
Ｅ１  下ろくろ引き紐
Ｅ２  変換引き紐
Ｅ３  内管引き紐
Ｆ  制御機構
Ｇ  てもと
Ｇ１  ボタン
Ｈ  傘開閉変換機構
Ｈ１  下ろくろ引き紐
Ｈ２  中管引き紐
Ｉ  附勢ばね
１  外管栓
１１  中心貫通穴
１２  外管滑車
２  外管固定リング
２１  凸縁
３  中管栓
３１  中管滑車
３２  引っ掛け穴
３３  金属リング
３４  固定穴
３５  金属円筒
３５１  案内円弧辺
４  中管固定リング
４１  凸縁
４２  中管固定リング滑車
５  内管栓
５１  案内槽
５２  固定穴
５３  金属管
５３１  案内円弧辺
５４  凹槽
６  螺旋棒
６１  軟質パッド
７  ナット
８  押し棒
９  動力源
【図１】
2016034397.tif 000003
【図１−１】
2016034397.tif 000004
【図１−２】
2016034397.tif 000005
【図１−３】
2016034397.tif 000006
【図１−４】
2016034397.tif 000007
【図１−５】
2016034397.tif 000008
【図２】
2016034397.tif 000009
【図３】
2016034397.tif 000010
【図３ａ】
2016034397.tif 000011
【図３ｂ】
2016034397.tif 000012
【図４】
2016034397.tif 000013
【図４ａ】
2016034397.tif 000014
【図４ｂ】
2016034397.tif 000015
【図５】
2016034397.tif 000016
【図６】
2016034397.tif 000017
【図７】
2016034397.tif 000018
【図８】
2016034397.tif 000019
【図９】
2016034397.tif 000020
【図１０】
2016034397.tif 000021
【図１１】
2016034397.tif 000022
【図１２】
2016034397.tif 000023
【図１３】
2016034397.tif 000024